(57)【要約】【課題】ファンの送風効率が低下するのを抑制する。【解決手段】実施形態の電子機器は、筐体と、表示装置と、ファンケースと、回転体と、開口部と、抑制部と、を備えた。前記ファンケースは、前記筐体に収容され、第一壁部と、前記第一壁部に対向した第二壁部と、前記第一壁部と第二壁部とを接続した側壁部と、を有する。前記回転体は、柱部、前記柱部に固定された羽根車、および当接部を有して、前記第一壁部と前記第二壁部との間で前記ファンケースに収容され、前記柱部を軸として回転する。前記開口部は、前記第二壁部に設けられ、前記柱部の少なくとも一部が収容された。前記抑制部は、前記ファンケースに設けられ、前記当接部が接離可能であり、前記当接部と当接することで前記開口部から離脱する方向への前記柱部の移動を抑制する。【選択図】図６
2012216645.tif 000002
【特許請求の範囲】
【請求項１】
第１開口部と、第２開口部とが設けられた筐体と、
前記筐体に収容され、前記第１開口部から表示画面が露出された表示装置と、
前記筐体に収容され、第一吸込口が設けられた第一壁部と、第二吸込口が設けられ前記第一壁部に対向した第二壁部と、前記第２開口部まで流れる空気が吐出される吐出口が設けられ前記第一壁部と第二壁部とを接続した側壁部と、を有するファンケースと、
柱部、前記柱部に固定された羽根車、および当接部を有して、前記第一壁部と前記第二壁部との間で前記ファンケースに収容され、前記柱部を軸として回転する回転体と、
前記第二壁部に設けられ、前記柱部の少なくとも一部が収容された開口部と、
前記ファンケースに設けられ、前記当接部が接離可能であり、前記当接部と当接することで前記開口部から離脱する方向への前記柱部の移動を抑制する抑制部と、
を備えた電子機器。
【請求項２】
前記ファンケースは、前記筐体の厚み方向で、少なくとも一部が前記表示装置と重なる位置に設けられた請求項１に記載の電子機器。
【請求項３】
前記抑制部は、前記表示装置の前記表示画面とは反対側を覆った前記筐体の内面に設けられ、前記表示装置とは反対側への前記回転体の移動を規制する請求項２に記載の電子機器。
【請求項４】
第一吸込口が設けられた第一壁部、第二吸込口が設けられ前記第一壁部に対向した第二壁部、および吐出口が設けられ前記第一壁部と第二壁部とを接続した側壁部、を有するファンケースと、
軸、前記軸に固定された羽根車、および当接部を有して、前記第一壁部と前記第二壁部との間で前記ファンケースに収容され、前記軸を中心として回転する回転体と、
前記第二壁部に設けられ、前記軸を支持した軸受部と、
前記ファンケースに設けられ、前記当接部が接離可能であり、前記当接部と当接することで前記軸受部から離脱する方向への前記回転体の移動を規制する規制部と、
を備えたファン。
【請求項５】
前記羽根車は、前記軸の一端部が固定された基部と前記基部の周面から延出した複数のブレードとを有し、
前記当接部は、前記基部に設けられ、
前記当接部は、前記第一壁部に設けられた、請求項４に記載のファン。
【請求項６】
前記規制部は、前記当接部に当接可能な突部と、前記第一壁部の外面に設けられて、前記突部が固定された支持部と、を有する請求項４に記載のファン。
【請求項７】
前記規制部は、前記ファンケースの内部に設けられた請求項４に記載のファン。
【請求項８】
前記当接部は、前記軸に設けられ前記軸の周面から突出し、
前記規制部は、前記第二壁部に設けられた、請求項４に記載のファン。
【請求項９】
ファンケースと、回転部と、前記回転部の少なくとも一部が収容され該回転部が回転可能に支持された支持部と、を有したファンと、
前記支持部の外側に設けられ、前記回転部と当接することで前記支持部からの離脱を抑制する抑制部と、
を備えた電子機器。
【発明の詳細な説明】
【技術分野】
【０００１】
本発明の実施形態は、電子機器およびファンに関する。
【背景技術】
【０００２】
従来、ファンを備えた電子機器がある。ファンとして、ファンケースと、羽根車および軸を有してファンケースに収容されその軸を中心として回転する回転体と、ファンケースに設けられ、その軸を支持した軸受部と、を備えたものが知られている。
【先行技術文献】
【特許文献】
【０００３】
【特許文献１】特開平０９−３２２４７２号公報
【発明の概要】
【発明が解決しようとする課題】
【０００４】
上記従来のファンでは、衝撃が加わると回転体が軸受部から離脱する方向へ移動して回転体の回転不良が生じて、送風効率が低下することがある。
【０００５】
本発明は、上記に鑑みてなされたものであって、ファンの送風効率が低下するのを抑制することを目的とする。
【課題を解決するための手段】
【０００６】
実施形態の電子機器は、筐体と、表示装置と、ファンケースと、回転体と、開口部と、抑制部と、を備えた。前記筐体は、第１開口部と、第２開口部とが設けられた。前記表示装置は、前記筐体に収容され、前記第１開口部から表示画面が露出された。前記ファンケースは、前記筐体に収容され、第一吸込口が設けられた第一壁部と、第二吸込口が設けられ前記第一壁部に対向した第二壁部と、前記第２開口部まで流れる空気が吐出される吐出口が設けられ前記第一壁部と第二壁部とを接続した側壁部と、を有する。前記回転体は、柱部、前記柱部に固定された羽根車、および当接部を有して、前記第一壁部と前記第二壁部との間で前記ファンケースに収容され、前記柱部を軸として回転する。前記開口部は、前記第二壁部に設けられ、前記柱部の少なくとも一部が収容された。前記抑制部は、前記ファンケースに設けられ、前記当接部が接離可能であり、前記当接部と当接することで前記開口部から離脱する方向への前記柱部の移動を抑制する。
【０００７】
実施形態のファンは、ファンケースと、回転体と、軸受部と、規制部と、を備えた。前記ファンケースは、第一吸込口が設けられた第一壁部、第二吸込口が設けられ前記第一壁部に対向した第二壁部、および吐出口が設けられ前記第一壁部と第二壁部とを接続した側壁部、を有する。前記回転体は、軸、前記軸に固定された羽根車、および当接部を有して、前記第一壁部と前記第二壁部との間で前記ファンケースに収容され、前記軸を中心として回転する。前記軸受部、前記第二壁部に設けられ、前記軸を支持した。前記規制部は、前記ファンケースに設けられ、前記当接部が接離可能であり、前記当接部と当接することで前記軸受部から離脱する方向への前記回転体の移動を規制する。
【０００８】
実施形態の電子機器は、ファンと、抑制部と、を備えた。前記ファンは、ファンケースと、回転部と、前記回転部の少なくとも一部が収容され該回転部が回転可能に支持された支持部と、を有した。前記抑制部は、前記支持部の外側に設けられ、前記回転部と当接することで前記支持部からの離脱を抑制する。
【図面の簡単な説明】
【０００９】
【図１】図１は、第１実施形態にかかるモバイルパーソナルコンピュータの斜視図である。
【図２】図２は、第１実施形態にかかるモバイルパーソナルコンピュータの平面図である。
【図３】図３は、第１実施形態にかかるモバイルパーソナルコンピュータを後方から見た斜視図である。
【図４】図４は、第１実施形態にかかるファンを示す斜視図である。
【図５】図５は、第１実施形態にかかるファンを示す底面図である。
【図６】図６は、第１実施形態にかかるファンを示す断面図である。
【図７】図７は、第１実施形態にかかる羽根車を示す平面図である。
【図８】図８は、第１実施形態の第１変形例にかかるファンを示す断面図である。
【図９】図９は、第１実施形態の第２変形例にかかるファンを示す断面図である。
【図１０】図１０は、第２実施形態にかかるファンを示す断面図である。
【図１１】図１１は、第２実施形態にかかる移動規制構造を示す断面図である。
【図１２】図１２は、第２実施形態の第１変形例にかかる移動規制構造を示す断面図である。
【図１３】図１３は、第２実施形態の第２変形例にかかる移動規制構造を示す断面図である。
【図１４】図１４は、第２実施形態の第３変形例にかかる移動規制構造を示す断面図である。
【図１５】図１５は、第２実施形態の第４変形例にかかる移動規制構造を示す断面図である。
【図１６】図１６は、第２実施形態の第５変形例にかかる移動規制構造を示す断面図である。
【図１７】図１７は、第３実施形態にかかるファンを示す断面図である。
【図１８】図１８は、第３実施形態の変形例にかかるファンを示す断面図である。
【図１９】図１９は、第４実施形態にかかるファンを示す断面図である。
【図２０】図２０は、第５実施形態にかかるファンを示す断面図である。
【図２１】図２１は、第６実施形態にかかるファンを示す断面図である。
【図２２】図２２は、第６実施形態の変形例にかかるファンを示す断面図である。
【図２３】図２３は、第７実施形態にかかるファンを示す断面図である。
【図２４】図２４は、第７実施形態の変形例にかかるファンを示す断面図である。
【図２５】図２５は、第８実施形態にかかるモバイルパーソナルコンピュータの平面図である。
【図２６】図２６は、第９実施形態にかかるパーソナルコンピュータの斜視図である。
【図２７】図２７は、第１０実施形態にかかるテレビジョン受像機の斜視図である。
【発明を実施するための形態】
【００１０】
＜第１実施形態＞
本実施形態にかかる電子機器およびテレビジョン受像機としての所謂ノート型のモバイルパーソナルコンピュータ１は、図１に示すように、矩形状の扁平な第一本体部２と、矩形状の扁平な第二本体部３と、を備えている。これら第一本体部２および第二本体部３は、ジョイント部４を介して、相対回動可能に接続されている。
【００１１】
第一本体部２には、筐体２ａの外面としての前面２ｂ側に露出する状態で、前面（表示画面６ａ）側にタッチパネル５を配した表示装置としてのＬＣＤ（Liquid  Crystal  Display）等のディスプレイパネル６や、押しボタン機構７等が設けられている。一方、第二本体部３には、筐体３ａの外面としての前面３ｂ側に露出する状態で、前面（表示画面９ａ）側にタッチパネル８を配した表示装置としてのＬＣＤ等のディスプレイパネル９や、押しボタン機構１０等が設けられている。なお、本実施形態では、便宜上、第二本体部３の幅方向（左右方向）をＸ方向、第二本体部３の先端方向をＹ方向、第二本体部３の厚さ方向をＺ方向とする。Ｘ軸、Ｙ軸、およびＺ軸は、相互に直交する。
【００１２】
図１に示す展開状態では、ディスプレイパネル６，９や、押しボタン機構７，１０のカバー体７ａ，１０ａ等が露出し、ユーザが使用可能な状態となる。一方、図示しない折り畳み状態では、前面２ｂ，３ｂ同士が相互に近接した状態で対向して、ディスプレイパネル６，９や、押しボタン機構７，１０のカバー体７ａ，１０ａ等が、筐体２ａ，３ａによって隠された状態となる。本実施形態では、タッチパネル５，８や、押しボタン機構７，１０、マイク（図示せず）等が入力操作部に相当し、ディスプレイパネル６，９や、スピーカ（図示せず）等が出力部に相当する。なお、キーボードや、クリックボタン、ポインティングデバイス等（図示せず）を有したモバイルパーソナルコンピュータでは、それらキーボードやクリックボタン等も入力操作部となる。
【００１３】
ジョイント部４は、第一本体部２と第二本体部３とを接続する部品であり、第一本体部２および第二本体部３とは別の部品として構成されている。ジョイント部４は、基端側に位置する第一本体部２の端部２ｃと、第二本体部３の端部３ｃと、を接続している。端部２ｃ，３ｃの端縁２ｄ，３ｄの長手方向の中央部には、当該方向の両端部を残して、当該方向の開口幅が長くかつ奥行きの短い矩形状の切欠２ｅ，３ｅが形成されている。そして、ジョイント部４の半分が一方の切欠２ｅに挿入され、他の半分がもう一方の切欠３ｅに挿入されている。ジョイント部４の長さＬは、切欠２ｅ，３ｅの幅より僅かに短い。また、ジョイント部４の幅Ｗは、折り畳み状態で相互に重なり合った第一本体部２および第二本体部３の厚さの合計とほぼ同じである。
【００１４】
第一本体部２とジョイント部４とは、第一ヒンジ機構１１Ａを介して回動軸Ａｘ１回りに相対回動可能に接続されており、また、第二本体部３とジョイント部４とは、第二ヒンジ機構１１Ｂを介して回動軸Ａｘ２回りに相対回動可能に接続されている。回動軸Ａｘ１および回動軸Ａｘ２は、相互に平行である。本実施形態では、第一ヒンジ機構１１Ａおよび第二ヒンジ機構１１Ｂは相互に連動しており、ジョイント部４に対する第一本体部２の回動軸Ａｘ１回りの相対回動角度と、ジョイント部４に対する第二本体部３の回動軸Ａｘ２回りの相対回動角度とが、同じである。ただし、これらのジョイント部４に対する相対回動方向は相互に逆である。よって、ユーザが、ジョイント部４に対して第一本体部２および第二本体部３のうち一方を開く操作を行うと、モバイルパーソナルコンピュータ１は展開状態となり、閉じる操作を行うと、モバイルパーソナルコンピュータ１は折り畳み状態となる。また、ユーザが、第一本体部２および第二本体部３を開く操作を行うと、モバイルパーソナルコンピュータ１は展開状態となり、閉じる操作を行うと、モバイルパーソナルコンピュータ１は折り畳み状態となる。
【００１５】
ディスプレイパネル６，９は、それぞれ、扁平な直方体状に形成されて、筐体２ａ，３ａに収容されている。ディスプレイパネル６，９は、第二本体部３の筐体３ａ内に配置された基板２３に実装された電子部品２２等で構成された制御回路から表示信号を受け取り、静止画や動画等の映像を表示する。電子部品２２は、例えばＣＰＵ（Central  Processing  Unit）などである。ディスプレイパネル６，９の表示画面６ａ，９ａで表示された映像を示す光は、無色透明のタッチパネル５，８を通過して前方へ出射される。なお、モバイルパーソナルコンピュータ１の制御回路は、映像信号処理回路の他、いずれも図示しないチューナ部や、ＨＤＭＩ（High-Definition  Multimedia  Interface）信号処理部、ＡＶ（Audio  Video）入力端子、リモコン信号受信部、制御部、セレクタ、オンスクリーンディスプレイインタフェース、記憶部（例えば、ＲＯＭ（Read  Only  Memory）、ＲＡＭ（Random  Access  Memory）、ＨＤＤ（Hard  Disk  Drive）等）、音声信号処理回路、インタフェース回路、各種コントローラ等を有している。また、モバイルパーソナルコンピュータ１は、音声出力用のスピーカ等（図示せず）も内蔵している。
【００１６】
また、図２および図３に示すように、第二本体部３の筐体３ａは、外部筐体としてのマスク２０およびケース２１と、を有している。外部筐体としてのマスク２０およびケース２１は、ねじ止めや、係合、嵌合等によって相互に一体化され、筐体３ａの外郭を構成している。筐体３ａは、ディスプレイパネル９を、その表示画面９ａが前面に露出した状態で収容するとともに、基板２３を収容する。基板２３は、インナプレートを介してケース２１に固定されている。マスク２０には、第１開口部２０ａが設けられている。第１開口部２０ａからディスプレイパネル９の表示画面９ａが露出されている。第１開口部２０ａは、別の言い方をするとＬＣＤ開口である。
【００１７】
ケース２１の底壁２１ａの基端側の端部２１ｂには、吸気口３ｊが設けられている。本実施形態では、吸気口３ｊは、底壁２１ａを貫通する複数（多数）の小孔の集合体として構成されている。吸気口３ｊ（すなわち、小孔の形成領域）は、端縁２１ｃに沿う比較的細長い領域に設けられている。また、ケース２１には、第２開口部としての排気口３ｈが設けられている。１筐体３ａ内では、吸気口３ｊから排気口３ｈへ至る通風路が形成されており、この通風路中に後述するファン５０が配置されている。そして、ファン５０によって吸気口３ｊから吸入された空気が排気口３から排気され、基板２３に実装された電子部品２２などが冷却される。
【００１８】
また、ケース２１には、ファン５０および吸気口３ｊの近傍位置に、係合部３ｍが設けられている。この係合部３ｍは、第一本体部２と第二本体部３とを係脱させるための例えば爪（ラッチ機構の爪）であり、第一本体部２に係脱可能となっている。
【００１９】
本実施形態では、図２に示すように、ファン５０が、第二本体部３の筐体３ａ内に配置されている。ファン５０は、筐体３ａに通風して、筐体３ａ内に配置された基板２３に実装された電子部品２２等の部品を冷却するものである。
【００２０】
図４ないし図６に示すように、ファン５０は、ファンケース５１と、回転体５２と、軸受部５３と、モータ部５４と、を有している。本実施形態のファン５０は、遠心ファンである。なお、説明の便宜上、図６等では部材同士の隙間を誇張して示している。
【００２１】
ファンケース５１は、相互に対向する一対に壁部である第一壁部５１ａおよび第二壁部５１ｂと、第一壁部５１ａおよび第二壁部５１ｂを接続した側壁部５１ｃと、を有している。ファンケース５１は、別の言い方をすると、ケーシングや筐体などである。ファンケース５１は、筐体３ａの厚み方向で、少なくとも一部がディスプレイパネル９と重なる位置に設けられている。
【００２２】
第一壁部５１ａには、第一吸込口５１ｄが設けられている。第二壁部５１ｂには、複数の第二吸込口５１ｅが設けられている。側壁部５１ｃには、吐出口５１ｆが設けられている。第二壁部５１ｂの中央部には、スポーク５１ｇによってその周囲部と接続された島状の取付壁部５１ｈが設けられている。各スポーク５１ｇ間に第二吸込口５１ｅが形成されている。第一壁部５１ａは、後述する当接部５８と対向した吸込口である第一吸込口５１ｄが設けられた、壁部である。
【００２３】
第一壁部５１ａは、例えば金属製である。このように第一壁部５１ａを金属製とすることで、第一壁部５１ａを比較的に薄くすることができる。第一壁部５１ａは、天板に相当する。第二壁部５１ｂおよび側壁部５１ｃは、例えば樹脂によって一体成形されている。そして、側壁部５１ｃに、第一壁部５１ａが爪５１ｋなどの係止構造によって着脱可能に係止されている。第一壁部５１ａは、軸受部５３が設けられていない壁である。第二壁部５１ｂは、底壁に相当する。
【００２４】
以上のとおり、ファンケースは、筐体３ａに収容されている。ファンケースは、第一吸込口５１ｄが設けられた第一壁部５１ａと、第二吸込口５１ｅが設けられ第一壁部５１ａに対向した第二壁部５１ｂと、筐体３ａの第２開口部としての排気口３ｈまで流れる空気が吐出される吐出口５１ｆが設けられ第一壁部５１ａと第二壁部５１ｂとを接続した側壁部５１ｃと、を有する。
【００２５】
回転体５２は、図６に示すように、羽根車６１および軸６２を有している。回転体５２は、ファンケース５１に収容されている。回転体５２は、軸６２を中心として回転する。別の言い方をすると、回転体５２は、軸６２を回転軸（軸）として回転する。軸６２は、第一壁部５１ａと第二壁部５１ｂとの対向方向に沿って延在している。本実施形態では、軸６２は、柱部に相当する。また、回転体５２は、回転部に相当する。
【００２６】
羽根車６１は、軸６２の一端部が固定された基部６１ａと、基部６１ａの周面６１ｂから延出した複数のブレード６１ｃとを有している。羽根車６１は、樹脂や金属製である。基部６１ａは、カップ状に形成されて、その開口を第二壁部５１ｂへ向けた姿勢で配置されている。基部６１ａは、詳細には、円板状の基壁部６１ｆと、この基壁部６１ｆの周縁部から第二壁部５１ｂへ向けて延出した側壁部６１ｇとを有している。側壁部６１ｇの外周面が、基部６１ａの周面６１ｂである。基壁部６１ｆの内面には、凹状の軸固定部６１ｈが設けられており、この軸固定部６１ｈに軸６２の一端部が挿入して固定されている。
【００２７】
また、羽根車６１は、図６および図７に示すように、その外周部に円環状の接続部材６１ｄを有している。接続部材６１ｄは、複数のブレード６１ｃにおける第一壁部５１ａ側の外縁部同士を接続している。接続部材６１ｄにおける第一壁部５１ａ側の端部６１ｅは、湾曲形状に形成されている。詳細には、端部６１ｅは、その内周部から外周部に向かうにしたがい、第一壁部５１ａから離間するように湾曲（傾斜）して形成されている。
【００２８】
軸受部５３は、ファンケース５１に設けられ、軸６２を回転可能に支持している。軸受部５３は、円筒状に形成されている。軸受部５３は、例えば流体軸受けや含油軸受けなどによって構成されている。なお、軸受部５３は、ボール軸受けなどであってもよい。軸受部５３は、第二壁部５１ｂの内面に立設された円筒部５１ｉの筒内に形成された開口部５１ｐに嵌合されて第二壁部５１ｂに固定されている。また、円筒部５１ｉの底部となる第二壁部５１ｂの内面には、スラスト板５５が固定されている。スラスト板５５は、軸６２の軸方向の他端面を支持する。軸受部５３の開口部５１ｐは、第二壁部５１ｂに設けられている。この開口部５１ｐには、柱部としての軸６２の少なくとも一部が収容されている。軸受部５３は、回転部としての回転体５２の少なくとも一部が収容され該回転体５２が回転可能に支持された支持部に相当する。
【００２９】
モータ部５４は、図６に示すように、ステータ５４ａと、ステータ５４ａを囲繞したロータ５４ｂと、回路基板５４ｃと、を有する。ステータ５４ａは、巻線５４ｄを装着した鉄心５４ｅを有する。ロータ５４ｂは、円筒状のヨーク５４ｆと、ヨークの内周面に周方向に沿って相互に間隔をあけて固定された複数の磁石５４ｇと、を有する。ヨーク５４ｆは、基部６１ａの側壁部６１ｇの内周側に固定されている。回路基板５４ｃには、リード線５６が接続されており、回路基板５４ｃは、リード線５６から供給される電力を巻線５４ｄに伝える。モータ部５４は、磁石５４ｇと、この磁石５４ｇに対向するステータ５４ａの電磁作用により、ロータ５４ｂが回転するようになっており、ロータ５４ｂの回転によって回転体５２が回転する。
【００３０】
また、ファン５０には、軸受部５３から離脱する方向への回転体５２の移動を規制する移動規制構造５７が設けられている。移動規制構造５７は、回転体５２に設けられた当接部５８と、ファンケース５１に設けられた規制部５９と、を有する。
【００３１】
当接部５８は、基部６１ａに設けられている。詳細には、基部６１ａの基壁部６１ｆの中央部の外面が当接部５８を構成している。
【００３２】
規制部５９は、軸受部５３の外側に設けられている。突部５９ａと支持部５９ｂとを有して、ファンケース５１の第一壁部５１ａの外面５１ｊに固定されている。支持部５９ｂは、棒状に形成されており、第一吸込口５１ｄを横断している。支持部５９ｂは、その両端部が第一壁部５１ａの外面に固定されている。この固定は、例えば接着やねじ止めなどによるものである。このように、支持部５９ｂは、壁部である第一壁部５１ａの外面５１ｊに設けられており、支持部５９ｂには、突部５９ａが固定されている。突部５９ａは、支持部５９ｂに一体成形されることによって支持部５９ｂに固定されている。突部５９ａは、支持部５９ｂから当接部５８に向けて突出している。突部５９ａは、第一吸込口５１ｄに挿入されて、ファンケース５１の内部に位置している。この突部５９ａは、当接部５８に接離可能となっている。突部５９ａと当接部５８との間は、通常、規定距離Ｌ１だけ隙間が有り、この規定距離Ｌ１は、規定距離Ｌ１を確保した状態での回転体５２におけるファンケース５１の第一壁部５１ａとの間の最小距離Ｌ２よりも短い。かかる構成によって、回転体５２の回転抵抗を小さくすることができる。本実施形態では、規制部５９は、ファンケース５１に設けられ、当接部５８が接離可能であり、当接部５８と当接することで開口部５１ｐから離脱する方向への柱部としての軸６２の移動を抑制する抑制部に相当する。また、規制部５９は、ディスプレイパネル９の表示画面９ａとは反対側を覆った筐体３の内面に設けられており、ディスプレイパネル９とは反対側への回転体５２の移動を規制する。また、規制部５９は、支持部としての軸受部５３の外側に設けられ、回転体５２と当接することで軸受部５３からの回転体５２の離脱を抑制する。
【００３３】
ここで、通常は、ステータ５４ａに対する磁石５４ｇの引力（磁力）によって、回転体５２は、突部５９ａと当接部５８との間の規定距離Ｌ１を維持した状態で回転や停止をしているが、ファン５０に衝撃が加わって、その引力に抗して回転体５２が軸受部５３から離脱する方向へ移動することがある。このように、ファン５０に衝撃が加わって、回転体５２が軸受部５３から離脱する方向へ移動した場合、回転体５２に設けられた当接部５８がファンケース５１に設けられた規制部５９に当接する。これにより、規制部５９が、軸受部５３から離脱する方向への回転体５２の移動を規制する。別の言い方をすると、規制部５９は、当接部５８と当接することで開口部５１ｐから離脱する方向への柱部としての軸６２の移動を抑制する。そして、衝撃の影響が無くなると、磁石５４ｇの引力（磁力）によって、回転体５２は、突部５９ａと当接部５８との間の規定距離Ｌ１を確保した位置に復帰する。このように、本実施形態では、回転体５２の軸方向に沿った移動を規制する。なお、本実施形態では、ファン５０の近傍に係合部３ｍがあるため、係合部３ｍの動作による衝撃がファン５０に伝わりやすい。また、ファン５０の近傍に、メモリ等の装着部が有る場合、その装着による衝撃がファン５０に伝わりやすい。
【００３４】
以上説明したとおり、本実施形態では、規制部５９が、当接部５８と当接することで軸受部５３から離脱する方向への回転体５２の移動を規制する。したがって、回転体５２の羽根車６１がファンケース５１の第一壁部５１ａに接触することを抑制することができる。したがって、ファン５０に衝撃が加わった場合でも、羽根車６１の回転を良好に維持することができるので、ファン５０の送風効率が低下することを抑制することができる。
【００３５】
また、本実施形態では、規制部５９が軸受部５３の外側に配置されているので、規制部５９を軸受部５３の内側に配置した場合に比べて、構造を簡素化することができるとともに、製造し易いという利点がある。また、軸受部５３の信頼性を損なうことがない。
【００３６】
また、規制部５９が、当接部５８と当接することで軸受部５３から離脱する方向への回転体５２の移動を規制するので、回転体５２が斜めになってファンケース５１に接触した状態で位置固定（固着）されてしまうことを抑制することができる。よって、騒音の発生を抑制することができる。
【００３７】
また、本実施形態では、羽根車６１の接続部材６１ｄにおける第一壁部５１ａ側の端部６１ｅが、湾曲形状に形成されているので、万が一回転体５２が斜めになってファンケース５１に接触してもファンケース５１への引っ掛かりを抑制することができるので、回転体５２が斜めになってファンケース５１に接触した状態で位置固定されてしまうことを抑制することができる。なお、羽根車６１と第一壁部５１ａとの接触可能部に潤滑剤を塗布することで、それらの間の引っ掛かりをさらに抑制することができる。潤滑剤は、例えば、ろうなどである。
【００３８】
次に、本実施形態の第１変形例を説明する。図８に示すように、本変形例のファン５０では、移動規制構造５７を構成する、回転体５２に設けられた当接部５８が突状に形成されている。当接部５８は、規制部５９に向けて突出形成されている。一方、移動規制構造５７を構成する規制部５９は、上述の突部５９ａを有していない。そして、規制部５９の支持部５９ｂの一面５９ｃに、当接部５８が接離可能となっている。かかる構成では、規制部５９が、当接部５８と当接することで軸受部５３から離脱する方向への回転体５２の移動を規制する。
【００３９】
次に、本実施形態の第２変形例を説明する。図９に示すように、本変形例のファン５０は、上述の接続部材６１ｄを有していない。そして、ブレード６１ｃにおける第一壁部５１ａ側の端部６１ｌが、湾曲形状に形成されている。かかる構成では、万が一回転体５２が斜めになってファンケース５１に接触してもファンケース５１への引っ掛かりを抑制することができる。
【００４０】
＜第２実施形態＞
本実施形態は、移動規制構造５７が第１の実施形態に対して異なる。図１０に示すように、移動規制構造５７の規制部５９は、ファンケース５１の内部に設けられている。ファンケース５１は、第１実施形態と同じく、軸受部５３が設けられた壁部としての第二壁部５１ｂを有している。
【００４１】
移動規制構造５７の当接部５８は、図１１に示すように、軸６２に設けられ軸６２の周面６２ａから突出している。当接部５８は、円環状に形成されている。当接部５８は、軸６２の周面６２ａに設けられた環状の溝部６２ｂに嵌合して固定されている。そして、当接部５８における軸６２の周面６２ａから突出した部分は、円環状である。
【００４２】
移動規制構造５７の規制部５９は、第二壁部５１ｂに設けられている。詳細には、規制部５９は、円筒部５１ｉによって第二壁部５１ｂに固定されている。規制部５９は、円環状に形成されて、円筒部５１ｉの内周面５１ｍに固定されている。規制部５９は、当接部５８と対向している。規制部５９には、当接部５８が接離可能となっている。また、規制部５９における第二壁部５１ｂ側には、円環状部材６３が設けられており、当接部５８は、規制部５９と円環状部材６３との間に位置している。
【００４３】
このような構成においては、規制部５９が、当接部５８と当接することで軸受部５３から離脱する方向への回転体５２の移動を規制する。
【００４４】
また、本実施形態では、当接部５８が、軸受部５３から流出する油の移動を規制する。したがって、ファンケース５１の外部に油が飛散するのを抑制することができる。
【００４５】
次に、本実施形態の変形例を説明する。
【００４６】
図１２に示すように、第１変形例の移動規制構造５７では、規制部５９は、棒状（突起状）に形成されて、円筒部５１ｉの内周面５１ｍに固定されている。
図１３に示すように、第２変形例の移動規制構造５７では、当接部５８が軸６２に一体成形されている。当接部５８は、円環状に形成されて、軸６２の周面６２ａから突出している。当接部５８は、円環状に形成されている。規制部５９は、第１変形例と同じである。かかる構成においても、規制部５９が、当接部５８と当接することで軸受部５３から離脱する方向への回転体５２の移動を規制する。
【００４７】
図１４に示すように、第３変形例の移動規制構造５７では、当接部５８が、棒状に形成されて、軸６２の周面６２ａから突出している。したがって、当接部５８における軸６２の周面６２ａから突出した部分は、突起状である。当接部５８は、軸６２の孔６２ｃに嵌合されている。
【００４８】
図１５に示すように、第４変形例の移動規制構造５７では、当接部５８が軸６２に一体成形されている。当接部５８は、棒状に形成されて、軸６２の周面６２ａから突出している。したがって、当接部５８における軸６２の周面６２ａから突出した部分は、突起状である。
【００４９】
図１６に示すように、第５変形例の移動規制構造５７では、当接部５８が、棒状（軸状）に形成されて、軸６２の周面６２ａからその両端部が突出している。したがって、当接部５８における軸６２の周面６２ａから突出した部分は、突起状である。当接部５８は、軸６２の孔６２ｄに嵌合されている。
【００５０】
以上の各変形例においても、規制部５９が、当接部５８と当接することで軸受部５３から離脱する方向への回転体５２の移動を規制する。
【００５１】
＜第３実施形態＞
本実施形態は、移動規制構造５７が第１の実施形態に対して異なる。図１７に示すように、移動規制構造５７の規制部５９は、第二本体部３の筐体３ａを構成するインナプレート３ｇからファン５０に向けて突出して形成された突部である。一方、当接部５８は、第１実施形態と同じであり、回転体５２に設けられている。
【００５２】
このような構成においても、規制部５９が、当接部５８と当接することで軸受部５３から離脱する方向への回転体５２の移動を規制する。
【００５３】
次に、本実施形態の変形例を説明する。図１８に示すように、本変形例のファン５０では、移動規制構造５７を構成する、回転体５２に設けられた当接部５８が突状に形成されている。当接部５８は、規制部５９に向けて突出形成されている。一方、移動規制構造５７を構成する規制部５９は、平坦状に形成されている。そして、規制部５９に、当接部５８が接離可能となっている。かかる構成では、規制部５９が、当接部５８と当接することで軸受部５３から離脱する方向への回転体５２の移動を規制する。
【００５４】
＜第４実施形態＞
本実施形態は、図１９に示すように、筐体３ａに湾曲部３ｍが形成されており、ファン５０がその湾曲部３ｍに沿って湾曲している点が第１の実施形態に対して異なる。
【００５５】
ファンケース５１の第一壁部５１ａは、湾曲部３ｍに沿って湾曲した湾曲部５１ｍを有している。ファンケース５１の第一壁部５１ａは、湾曲部３ｍに沿って凹状（谷形状）をなしている。ファンケース５１の第二壁部５１ｂは、湾曲部３ｍに沿って湾曲した湾曲部５１ｎを有している。また、ブレード６１ｃは、湾曲部３ｍに沿って湾曲した湾曲部６１ｍを有している。
【００５６】
このような構成のファン５０では、筐体３ａに湾曲部３ｍに合わせてファン５０を湾曲させたので、ファン５０の送風量を確保することができる。
【００５７】
また、ファンケース５１の第一壁部５１ａが、凹状（谷形状）をなしているので、回転体５２が斜めになっても第一壁部５１ａに接触することを抑制することができる。 
【００５８】
＜第５実施形態＞
本実施形態は、図２０に示すように、ファン５０のファンケース５１の第一壁部５１ａが突状（山形状）に形成されている点が第１実施形態に対して異なる。第一壁部５１ａは、その中央部に向かうにしたがい第二壁部５１ｂから離間する突状に形成されている。
【００５９】
このような構成では、万が一回転体５２が斜めになって第一壁部５１ａに接触しても、その接触面積が比較的小さい点接触となるので、ファンケース５１への引っ掛かりを抑制することができる。よって、回転体５２が斜めになってファンケース５１に接触した状態で位置固定されてしまうことを抑制することができる。
【００６０】
＜第６実施形態＞
本実施形態は、移動規制構造５７が第１の実施形態に対して異なる。図２１に示すように、移動規制構造５７の規制部５９は、ファンケース５１の内部に設けられている。ファンケース５１は、第１実施形態と同じく、軸受部５３が設けられた壁部としての第二壁部５１ｂを有している。
【００６１】
移動規制構造５７の当接部５８は、ブレード６１ｃに設けられている。当接部５８は、当接部５８は、ブレード６１ｃから延出した第一部５８ｄと、この第一部５８ｄから軸６２に向かって延出した第二部５８ｅとが略直角に接続されて略Ｌ字状をなした係止片である。
【００６２】
移動規制構造５７の規制部５９は、第二壁部５１ｂに設けられている。規制部５９は、円環状に形成されて、円筒部５１ｉを囲繞している。規制部５９は、円筒状の第一部５９ｄとこの円筒状の外周面に設けられた円環フランジ状の第二部５９ｅとを有している。規制部５９の第２部５９ｅに、当接部５８の第二部５８ｅが接離可能となっている。
【００６３】
このような構成においては、規制部５９が、当接部５８と当接することで軸受部５３から離脱する方向への回転体５２の移動を規制する。
【００６４】
次に、本実施形態の変形例を説明する。本変形例では、図２２に示すように、当接部５８の第二部５８ｅが軸６２から離間する方向へ第一部５８ｄから延出している。一方、規制部５９の第二部５９ｅは、第一部５９ｄの内周面に設けられている。
【００６５】
このような構成においても、規制部５９が、当接部５８と当接することで軸受部５３から離脱する方向への回転体５２の移動を規制する。
【００６６】
＜第７実施形態＞
本実施形態は、図２３に示すように、回転体５２に突起状の第２当接部７１が設けられ、ファンケース５１に円環突状の第３当接部７２が設けられている点が第１実施形態に対して異なる。第２当接部７１および第３当接部７２は、例えば樹脂製である。
【００６７】
第２当接部７１は、接続部材６１ｄから突出している。即ち、第２当接部７１は、回転体５２の外周部に設けられている。一方、第３当接部７２は、第一壁部５１ａの内面から突出している。第２当接部７１と第３当接部７２とは相互に離間して対向しており、これらの間が、回転体５２におけるファンケース５１の第一壁部５１ａとの間の最小距離Ｌ２となっている。なお、第２当接部７１がファンケース５１に設けられ、第３当接部７２が回転体５２に設けられていてもよい。
【００６８】
このような構成においては、万が一回転体５２が斜めになって第２当接部７１と第３当接部７２とが接触しても、その接触面積が比較的小さい点接触となるので、ファンケース５１への引っ掛かりを抑制することができる。よって、回転体５２が斜めになってファンケース５１に接触した状態で位置固定されてしまうことを抑制することができる。
【００６９】
次に、本実施形態の変形例を説明する。図２４に示すように、本変形例では、第２当接部７１は、基部６１ａに設けられており、この第２当接部７１と対向する位置で第３当接部７２が、ファンケース５１の第一壁部５１ａに設けられている。なお、第２当接部７１がファンケース５１に設けられ、第３当接部７２が回転体５２に設けられていてもよい。
【００７０】
このような構成においても、万が一回転体５２が斜めになって第２当接部７１と第３当接部７２とが接触しても、その接触面積が比較的小さい点接触となるので、ファンケース５１への引っ掛かりを抑制することができる。よって、回転体５２が斜めになってファンケース５１に接触した状態で位置固定されてしまうことを抑制することができる。
【００７１】
＜第８実施形態＞
本実施形態は、図２５に示すように、モバイルパーソナルコンピュータ１が、所謂スレート型である点が、第１実施形態に対して異なる。本実施形態のモバイルパーソナルコンピュータ１は、基本的には、第１実施形態の第二本体部３と同様の構成を有する。即ち、モバイルパーソナルコンピュータ１は、扁平形状の筐体１００や、前面側にタッチパネル１０１を配した表示装置としてのＬＣＤ（Liquid  Crystal  Display）等のディスプレイパネル１０２、筐体１００に収容されたファン５０、基板２３、基板に実装された電子部品２２等を備える。また、筐体１００には、吸気口および排気口３ｈが形成され、筐体１００の内部には、吸気口３ｊから排気口３ｈへ至る通風路が形成されている。そして、この通風路中にファン５０が配置されている。また、筐体１００には、第１開口部１００ａが設けられている。第１開口部１００からディスプレイパネル１０２の表示画面１０２ａが露出されている。
【００７２】
このような構成において、ファン５０が第１実施形態と同じであるので、第１実施形態と同様に、ファン５０に衝撃が加わった場合でも、羽根車６１の回転を良好に維持することができるので、ファン５０の送風効率が低下することを抑制することができる。なお、ファン５０としては、第１実施形態のものに限ることなく、上述した実施形態や変形例のファン５０を適用してもよい。
【００７３】
以上、本発明の好適な実施形態について説明したが、本発明は上記実施形態には限定されず、種々の変形が可能である。例えば、上記実施形態では、本発明を、２画面を有するノート型や１画面を有するスレート型のモバイルパーソナルコンピュータとして実施した構成を例示したが、本発明は、ファンを有する他の電子機器やテレビジョン受像機、例えば、キーボードを有するノート型のパーソナルコンピュータや、デスクトップ型のコンピュータ、ＰＤＡ（Personal  Digital  Assistant）、スマートブック、スマートフォン、携帯電話端末等として実施することもできる。ここで、図２６に、キーボード２０１を有するノート型のパーソナルコンピュータ２００（第９実施形態）を示し、図２７に、テレビジョン受像機３００（第１０実施形態）を示す。
【００７４】
以上のとおり、上記各実施形態によれば、ファンの送風効率が低下するのを抑制することができる。
【符号の説明】
【００７５】
１…モバイルパーソナルコンピュータ
３，１００…筐体
９，１０２…ディスプレイパネル
９ａ，１０２ａ…表示画面
５０…ファン
５１…ファンケース
５１ａ…第一壁部
５１ｂ…第二壁部
５１ｃ…側壁部
５１ｄ…第一吸込口
５１ｅ…第二吸込口
５１ｆ…吐出口
５１ｐ…開口部
５２…回転体
５３…軸受部
５８…当接部
５９…規制部
５９ａ…突部
５９ｂ…支持部
６１…羽根車
６１ａ…基部
６１ｃ…ブレード
６２…軸
２００…パーソナルコンピュータ
３００…テレビジョン受像機
【図１】
2012216645.tif 000003
【図２】
2012216645.tif 000004
【図３】
2012216645.tif 000005
【図４】
2012216645.tif 000006
【図５】
2012216645.tif 000007
【図６】
2012216645.tif 000008
【図７】
2012216645.tif 000009
【図８】
2012216645.tif 000010
【図９】
2012216645.tif 000011
【図１０】
2012216645.tif 000012
【図１１】
2012216645.tif 000013
【図１２】
2012216645.tif 000014
【図１３】
2012216645.tif 000015
【図１４】
2012216645.tif 000016
【図１５】
2012216645.tif 000017
【図１６】
2012216645.tif 000018
【図１７】
2012216645.tif 000019
【図１８】
2012216645.tif 000020
【図１９】
2012216645.tif 000021
【図２０】
2012216645.tif 000022
【図２１】
2012216645.tif 000023
【図２２】
2012216645.tif 000024
【図２３】
2012216645.tif 000025
【図２４】
2012216645.tif 000026
【図２５】
2012216645.tif 000027
【図２６】
2012216645.tif 000028
【図２７】
2012216645.tif 000029
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
第一壁部、前記第一壁部に対向した第二壁部、および前記第一壁部と第二壁部とを接続した側壁部、を有するファンケースと、
軸、前記軸に固定された羽根車、および当接部を有して、前記第一壁部と前記第二壁部との間で前記ファンケースに収容され、前記軸を中心として回転する回転体と、
前記第二壁部に設けられ、前記軸を支持した軸受部と、
前記ファンケースに設けられ、前記当接部が接離可能であり、前記当接部と当接することで前記軸受部から離脱する方向への前記回転体の移動を規制する規制部と、
を備え、
前記羽根車は、前記軸の一端部が固定された基部と前記基部の周面から延出した複数のブレードとを有し、
前記当接部は、前記基部に設けられ、
前記規制部は、前記第一壁部に設けられたファン。
【請求項２】
第一壁部、前記第一壁部に対向した第二壁部、および前記第一壁部と第二壁部とを接続した側壁部、を有するファンケースと、
軸、前記軸に固定された羽根車、および当接部を有して、前記第一壁部と前記第二壁部との間で前記ファンケースに収容され、前記軸を中心として回転する回転体と、
前記第二壁部に設けられ、前記軸を支持した軸受部と、
前記ファンケースに設けられ、前記当接部が接離可能であり、前記当接部と当接することで前記軸受部から離脱する方向への前記回転体の移動を規制する規制部と、
を備え、
前記規制部は、前記当接部に当接可能な突部と、前記第一壁部の外面に設けられて、前記突部が固定された支持部と、を有するファン。
【請求項３】
第一壁部、前記第一壁部に対向した第二壁部、および前記第一壁部と第二壁部とを接続した側壁部、を有するファンケースと、
軸、前記軸に固定された羽根車、および当接部を有して、前記第一壁部と前記第二壁部との間で前記ファンケースに収容され、前記軸を中心として回転する回転体と、
前記軸を支持した軸受部と、
前記ファンケースに設けられ、前記当接部が接離可能であり、前記当接部と当接することで前記軸受部から離脱する方向への前記回転体の移動を規制する規制部と、
を備え、
前記第二壁部には、前記第二壁部の内面に設けられ前記第二壁部とは反対側の端部が開口した円筒部が設けられ、
前記軸受部は、前記円筒部内に設けられ、
前記当接部は、前記軸受部の前記端部側の位置で前記軸に設けられ前記軸の周面から突出し、
前記規制部は、前記円筒部の内周面に設けられたファン。
【請求項４】
筐体と、
前記筐体に収容され、第一壁部、前記第一壁部に対向した第二壁部、および前記第一壁部と第二壁部とを接続した側壁部、を有するファンケースと、
軸、前記軸に固定された羽根車、および当接部を有して、前記第一壁部と前記第二壁部との間で前記ファンケースに収容され、前記軸を中心として回転する回転体と、
前記第二壁部に設けられ、前記軸を支持した軸受部と、
前記当接部が接離可能であり、前記当接部と当接することで前記軸受部から離脱する方向への前記回転体の移動を規制する規制部と、
を備え、
前記羽根車は、前記軸の一端部が固定された基部と前記基部の周面から延出した複数のブレードとを有し、
前記当接部は、前記基部に設けられた電子機器。
【請求項５】
前記規制部は、前記第一壁部に設けられた請求項４に記載の電子機器
【請求項６】
前記規制部は、前記筐体に設けられた請求項４に記載の電子機器。
【請求項７】
筐体と、
前記筐体に収容された請求項２または３に記載のファンと、
を備えた電子機器。
【請求項８】
表示画面を有し前記筐体に収容された表示装置を備え、
前記ファンケースは、前記筐体の厚み方向で、少なくとも一部が前記表示装置と重なる位置に設けられた請求項４ないし７のいずれか一項に記載の電子機器。
【請求項９】
前記規制部は、前記表示装置の前記表示画面とは反対側を覆った前記筐体の内面に設けられ、前記表示装置とは反対側への前記回転体の移動を規制する請求項８に記載の電子機器。
【手続補正２】
【補正対象書類名】明細書
【補正対象項目名】０００６
【補正方法】変更
【補正の内容】
【０００６】
実施形態の電子機器は、筐体と、ファンケースと、回転体と、軸受部と、規制部と、を備えた。前記ファンケースは、前記筐体に収容され、第一壁部と、前記第一壁部に対向した第二壁部と、前記第一壁部と第二壁部とを接続した側壁部と、を有する。前記回転体は、軸、前記軸に固定された羽根車、および当接部を有して、前記第一壁部と前記第二壁部との間で前記ファンケースに収容され、前記軸を中心として回転する。前記軸受部は、前記第二壁部に設けられ、前記軸を支持した。前記規制部は、前記ファンケースに設けられ、前記当接部が接離可能であり、前記当接部と当接することで前記軸受部から離脱する方向への前記回転体の移動を抑制する。前記羽根車は、前記軸の一端部が固定された基部と前記基部の周面から延出した複数のブレードとを有し、前記当接部は、前記基部に設けられた。
【手続補正３】
【補正対象書類名】明細書
【補正対象項目名】０００７
【補正方法】変更
【補正の内容】
【０００７】
実施形態のファンは、ファンケースと、回転体と、軸受部と、規制部と、を備えた。前記ファンケースは、第一壁部、前記第一壁部に対向した第二壁部、および前記第一壁部と第二壁部とを接続した側壁部、を有する。前記回転体は、軸、前記軸に固定された羽根車、および当接部を有して、前記第一壁部と前記第二壁部との間で前記ファンケースに収容され、前記軸を中心として回転する。前記軸受部、前記第二壁部に設けられ、前記軸を支持した。前記規制部は、前記ファンケースに設けられ、前記当接部が接離可能であり、前記当接部と当接することで前記軸受部から離脱する方向への前記回転体の移動を規制する。前記羽根車は、前記軸の一端部が固定された基部と前記基部の周面から延出した複数のブレードとを有し、前記当接部は、前記基部に設けられ、前記規制部は、前記第一壁部に設けられた。
【手続補正４】
【補正対象書類名】明細書
【補正対象項目名】０００８
【補正方法】削除
【補正の内容】
【手続補正５】
【補正対象書類名】明細書
【補正対象項目名】００３２
【補正方法】変更
【補正の内容】
【００３２】
規制部５９は、軸受部５３の外側に設けられている。規制部５９は、突部５９ａと支持部５９ｂとを有して、ファンケース５１の第一壁部５１ａの外面５１ｊに固定されている。支持部５９ｂは、棒状に形成されており、第一吸込口５１ｄを横断している。支持部５９ｂは、その両端部が第一壁部５１ａの外面に固定されている。この固定は、例えば接着やねじ止めなどによるものである。このように、支持部５９ｂは、壁部である第一壁部５１ａの外面５１ｊに設けられており、支持部５９ｂには、突部５９ａが固定されている。突部５９ａは、支持部５９ｂに一体成形されることによって支持部５９ｂに固定されている。突部５９ａは、支持部５９ｂから当接部５８に向けて突出している。突部５９ａは、第一吸込口５１ｄに挿入されて、ファンケース５１の内部に位置している。この突部５９ａは、当接部５８に接離可能となっている。突部５９ａと当接部５８との間は、通常、規定距離Ｌ１だけ隙間が有り、この規定距離Ｌ１は、規定距離Ｌ１を確保した状態での回転体５２におけるファンケース５１の第一壁部５１ａとの間の最小距離Ｌ２よりも短い。かかる構成によって、回転体５２の回転抵抗を小さくすることができる。本実施形態では、規制部５９は、ファンケース５１に設けられ、当接部５８が接離可能であり、当接部５８と当接することで開口部５１ｐから離脱する方向への柱部としての軸６２の移動を抑制する抑制部に相当する。また、規制部５９は、ディスプレイパネル９の表示画面９ａとは反対側を覆った筐体３の内面に設けられており、ディスプレイパネル９とは反対側への回転体５２の移動を規制する。また、規制部５９は、支持部としての軸受部５３の外側に設けられ、回転体５２と当接することで軸受部５３からの回転体５２の離脱を抑制する。
【手続補正６】
【補正対象書類名】明細書
【補正対象項目名】００７４
【補正方法】変更
【補正の内容】
【００７４】
以上のとおり、上記各実施形態によれば、ファンの送風効率が低下するのを抑制することができる。
実施形態は、以下を含む。
（１）
第１開口部と、第２開口部とが設けられた筐体と、
前記筐体に収容され、前記第１開口部から表示画面が露出された表示装置と、
前記筐体に収容され、第一吸込口が設けられた第一壁部と、第二吸込口が設けられ前記第一壁部に対向した第二壁部と、前記第２開口部まで流れる空気が吐出される吐出口が設けられ前記第一壁部と第二壁部とを接続した側壁部と、を有するファンケースと、
柱部、前記柱部に固定された羽根車、および当接部を有して、前記第一壁部と前記第二壁部との間で前記ファンケースに収容され、前記柱部を軸として回転する回転体と、
前記第二壁部に設けられ、前記柱部の少なくとも一部が収容された開口部と、
前記ファンケースに設けられ、前記当接部が接離可能であり、前記当接部と当接することで前記開口部から離脱する方向への前記柱部の移動を抑制する抑制部と、
を備えた電子機器。
（２）
前記ファンケースは、前記筐体の厚み方向で、少なくとも一部が前記表示装置と重なる位置に設けられた前記（１）に記載の電子機器。
（３）
前記抑制部は、前記表示装置の前記表示画面とは反対側を覆った前記筐体の内面に設けられ、前記表示装置とは反対側への前記回転体の移動を規制する前記（２）に記載の電子機器。
（４）
第一吸込口が設けられた第一壁部、第二吸込口が設けられ前記第一壁部に対向した第二壁部、および吐出口が設けられ前記第一壁部と第二壁部とを接続した側壁部、を有するファンケースと、
軸、前記軸に固定された羽根車、および当接部を有して、前記第一壁部と前記第二壁部との間で前記ファンケースに収容され、前記軸を中心として回転する回転体と、
前記第二壁部に設けられ、前記軸を支持した軸受部と、
前記ファンケースに設けられ、前記当接部が接離可能であり、前記当接部と当接することで前記軸受部から離脱する方向への前記回転体の移動を規制する規制部と、
を備えたファン。
（５）
前記羽根車は、前記軸の一端部が固定された基部と前記基部の周面から延出した複数のブレードとを有し、
前記当接部は、前記基部に設けられ、
前記規制部は、前記第一壁部に設けられた、前記（４）に記載のファン。
（６）
前記規制部は、前記当接部に当接可能な突部と、前記第一壁部の外面に設けられて、前記突部が固定された支持部と、を有する前記（４）に記載のファン。
（７）
前記規制部は、前記ファンケースの内部に設けられた前記（４）に記載のファン。
（８）
前記当接部は、前記軸に設けられ前記軸の周面から突出し、
前記規制部は、前記第二壁部に設けられた、前記（４）に記載のファン。
（９）
ファンケースと、回転部と、前記回転部の少なくとも一部が収容され該回転部が回転可能に支持された支持部と、を有したファンと、
前記支持部の外側に設けられ、前記回転部と当接することで前記支持部からの離脱を抑制する抑制部と、
を備えた電子機器。